(57)【特許請求の範囲】
【請求項１】
画面を通して情報を提供する表示手段と、
操作に応じた信号を出力する操作手段と、
複数の楽曲の音楽データと、複数の画像データとを記憶する記憶手段と、
前記表示手段、前記操作手段及び前記記憶手段と動作可能に接続された制御手段とを有し、
前記制御手段は、再生モードをシャッフル再生に設定することを指示する旨の前記操作手段の信号を入力したときに、前記記憶手段に記憶した前記複数の画像データに基づいて複数の画像を生成し、当該複数の画像を同一平面上に不規則な配置で並べて前記表示手段の画面に表示させることを特徴とするオーディオ装置。
【請求項２】
前記制御手段は、再生モードを通常再生に設定することを指示する旨の前記操作手段の信号を入力したときに、前記記憶手段に記憶した前記複数の画像データに基づいて複数の画像を生成し、当該複数の画像を同一平面上に規則的な配置で並べて前記表示手段の画面に表示させることを特徴とする請求項１に記載のオーディオ装置。
【請求項３】
前記制御手段は、前記複数の楽曲の音楽データと前記複数の画像データとをそれぞれ関連付けて前記記憶手段に記憶させ、
前記表示手段の画面に表示させた前記複数の画像のいずれかを指定することを指示する旨の前記操作手段の信号を入力したときに、前記記憶手段に記憶した前記複数の音楽データに基づいて当該指定された画像に関連付けられている楽曲を再生することを特徴とする請求項１又は請求項２に記載のオーディオ装置。
【請求項４】
前記制御手段は、再生モードがシャッフル再生に設定されているときに、さらに再生する楽曲を決定する度に前記複数の画像を同一平面上に不規則な配置で並べることを特徴とする請求項１から請求項３のいずれか一項に記載のオーディオ装置。
【請求項５】
前記制御手段は、前記操作手段の信号に応じて前記表示手段の画面に表示される前記複数の画像が同一平面上に並べられてなる壁紙画像をスクロールさせることを特徴とする請求項１から請求項３のいずれか一項に記載のオーディオ装置。
【請求項６】
前記制御手段は、前記操作手段の信号に応じて前記表示手段の画面に表示される前記複数の画像が同一平面上に並べられてなる壁紙画像の縮尺を変化させることを特徴とする請求項１から請求項３のいずれか一項に記載のオーディオ装置。
【請求項７】
前記複数の画像データは、アルバムのジャケット写真の画像データを含むことを特徴とする請求項１から請求項３のいずれか一項に記載のオーディオ装置。
【発明の詳細な説明】
【技術分野】
【０００１】
本発明は、オーディオ装置に関し、特に複数の楽曲の音楽データと、当該楽曲に関する音楽情報とを記憶媒体に記憶し、当該記憶媒体から楽曲の音楽データを読み出して再生するオーディオ装置に関する。
【背景技術】
【０００２】
近年、インターネット上の楽曲提供サーバ等から取り込んだ楽曲の音楽データ（所定の音声圧縮符号化方式で圧縮された音楽データ）と、当該楽曲の曲名、アーティスト名、当該楽曲が収録されているアルバム名などの情報（以下、このような情報のことを「音楽情報」という。）とを、ハードディスク等の記憶媒体に記憶し、その記憶媒体から楽曲の音楽データを読み出して再生する据え置き型のオーディオ装置が普及している。また、この種のオーディオ装置から取り込んだ楽曲の音楽データ及び音楽情報を記憶媒体に記憶し、その記憶媒体から楽曲の音楽データを読み出して再生する携帯型のオーディオ装置も普及している。
【０００３】
上記のオーディオ装置においては、記憶媒体の大容量化に伴い、数百曲もの大量の楽曲のデータを記憶しておくことが可能となっている。このように大量の楽曲のデータを記憶している場合、全ての楽曲を再生対象にして同じ曲順で再生を行うと、ユーザが飽きを感じてしまう可能性がある。
【０００４】
このため、上記のオーディオ装置においては、種々の再生機能を有しているものもある。このような再生機能として、例えば、ユーザにより指定されたアルバムやアーティストの楽曲を再生対象にして再生を行うというものがある。また、全ての楽曲を再生対象としつつも、毎回異なる曲順で再生を行う所謂ランダム再生を行うというものもある。以下、ランダム再生のことをシャッフル再生ともいう。
【０００５】
また、上記のオーディオ装置においては、液晶表示（ＬＣＤ）パネル等からなる表示部を備え、記憶媒体に記憶した音楽情報に基づいて再生中の楽曲の曲名、演奏時間、アーティスト名及びアルバム名などの情報（以下、このような情報を「再生情報」という。）を表示部の画面に表示するものもある。
【０００６】
ところで、上述した従来技術のオーディオ装置においては、現在設定されている再生モードがシャッフル再生（ランダム再生）である場合に、表示部の画面に当該再生モードを示す略文字やマーク等の情報を表示する。
【０００７】
しかしながら、このような再生モードを示す情報は、表示部内において上述した再生情報と別に表示されていることが多く、ユーザに見落とされる可能性がある。
【０００８】
このような問題に対し、特許文献１において、ランダム再生が設定されているときには、記録媒体に記録されている楽曲をランダム選曲し、そのランダム選曲順に楽曲のタイトルを所定の数だけ並べたリストを表示装置に表示する記録媒体再生装置が提案されている。
【特許文献１】特開２００４−３６２６３２号公報
【発明の開示】
【発明が解決しようとする課題】
【０００９】
しかし、特許文献１の記録媒体再生装置においては、通常再生が設定されているときには、記録媒体に記録されている楽曲のタイトルを記録順に並べたリストを表示装置に表示している。このため、ユーザは、リストに示されている楽曲のタイトルを注視しないと、当該装置においてランダム再生が設定されているのか、通常再生が設定されているのかが分かりにくい。しかも、ユーザが、記録媒体に記録されている楽曲の記録順を把握していないと、リストに示された各楽曲のタイトルを見ても、それらがランダム選曲順に並べられたものなのか、記録媒体において楽曲の記録順に並べられたものなのかを判別しにくいことがある。
【００１０】
本発明は、かかる従来技術における課題に鑑み創作されたもので、ユーザが、設定されている再生モードがシャッフル再生であるか否かを容易に判別することができるオーディオ装置を提供することを目的とする。
【課題を解決するための手段】
【００１１】
上記の従来技術の課題を解決するために、本発明の一観点によれば、画面を通して情報を提供する表示手段と、操作に応じた信号を出力する操作手段と、複数の楽曲の音楽データと、複数の画像データとを記憶する記憶手段と、前記表示手段、前記操作手段及び前記記憶手段と動作可能に接続された制御手段とを有し、前記制御手段は、再生モードをシャッフル再生に設定することを指示する旨の前記操作手段の信号を入力したときに、前記記憶手段に記憶した前記複数の画像データに基づいて複数の画像を生成し、当該複数の画像を同一平面上に不規則な配置で並べて前記表示手段の画面に表示させることを特徴とするオーディオ装置が提供される。
【００１２】
本発明においては、再生モードをシャッフル再生に設定することを指示する旨の操作手段の信号を入力すると、記憶手段に記憶した画像データ（例えば、アルバムのジャケット写真の画像データ）に基づいて画像を生成し、当該画像を不規則に並べて表示手段の画面に表示している。
【００１３】
このように、本発明においては、シャッフル再生モードに設定されているときには、表示手段の画面において画像が不規則に並べられていて、楽曲が不規則に再生されている印象を与える。これにより、ユーザは、表示手段の表示画面を見たときに、現在設定されている再生モードがシャッフル再生であるか否かを容易に判別することができる。
【００１４】
なお、本発明においては、再生モードを通常再生に設定することを指示する旨の操作手段の信号を入力すると、記憶手段に記憶した複数の画像データに基づいて複数の画像を生成し、当該複数の画像を同一平面上に規則的な配置で並べて表示手段の画面に表示してもよい。
【００１５】
この発明においては、通常再生モードに設定されているときには、表示手段の画面において画像が規則的に並べられていて、楽曲が規則的に再生されている印象を与える。このように、シャッフル再生モードに設定されているときの表示手段の表示画面の内容と、通常再生モードに設定されているときのそれとの差異が明確となっているので、ユーザは、シャッフル再生に設定されている場合の表示手段の表示画面を見たときに、現在設定されている再生モードがシャッフル再生であることを一目で判別することができる。
【００１６】
なお、本発明に関連する技術として、画面を通して情報を提供する表示手段と、操作に応じた信号を出力する操作手段と、楽曲の音楽データと、壁紙画像データとを記憶する記憶手段と、前記表示手段、前記操作手段及び前記記憶手段と動作可能に接続された制御手段とを有し、前記制御手段は、再生モードをシャッフル再生に設定することを指示する旨の前記操作手段の信号を入力したときに、前記記憶手段から画像が不規則に並べられた壁紙画像データを抽出し、当該壁紙画像データを基に生成した壁紙画像を前記表示手段の画面に表示させることを特徴とするオーディオ装置がある。
【００１７】
本関連技術においては、画像（例えば、アルバムのジャケット写真の画像）が不規則に並べられた壁紙画像のデータを記憶手段に記憶しており、シャッフル再生モードに設定されたときに当該壁紙画像のデータを基に壁紙画像を生成し、表示手段の画面に表示している。
【００１８】
このように、シャッフル再生モードに設定されているときには、表示手段の画面において画像が不規則に並べられていて、楽曲が不規則に再生されている印象を与える。これにより、ユーザは、表示手段の表示画面を見たときに、現在設定されている再生モードがシャッフル再生であるか否かを容易に判別することができる。しかも、本関連技術においては、シャッフル再生モードに設定されたときに、比較的少ない処理数で、画像が不規則に並べられた壁紙画像を表示手段の画面に表示させることができる。
【発明を実施するための最良の形態】
【００１９】
以下、本発明の実施の形態について、添付の図面を参照しながら説明する。
【００２０】
（第１の実施形態）
図１は本発明の第１の実施形態に係る携帯型オーディオ装置（オーディオ装置）の構成を示すブロック図であり、図２はその携帯型オーディオ装置の外観の一例を示す図である。
【００２１】
本実施形態に係る携帯型オーディオ装置１０は、基本的には、外部機器から楽曲の音楽データと当該楽曲の付加データとを入力し、この楽曲の音楽データを再生して楽曲の音声信号としてヘッドホンや外部スピーカーに出力するものであり、図１に示すようにデータ入出力部１１、操作部１２、データ記憶部１３、音声出力部１４、表示部１５及び制御部１６を備えている。
【００２２】
なお、上記の外部機器は、例えばパーソナルコンピュータや据え置き型のオーディオ装置である。また、楽曲の音楽データは、例えば音楽ＣＤのコンテンツデータを、ＭＰ３（MPEG Audio Layer3）、ＷＭＡ（Windows Media Audio）、ＡＡＣ（Advanced Audio Cording）、ＡＴＲＡＣ（Adaptive TRansform Acoustic Cording）等の圧縮符号化方式により圧縮符号化したものである。更に、楽曲の付加データは、当該楽曲の曲名、演奏時間、アーティスト名、当該楽曲が収録されているアルバムのアルバム名等の音楽情報と、当該アルバムのジャケット写真の画像データとを含むものである。
【００２３】
本実施形態に係る携帯型オーディオ装置（以下、単に「オーディオ装置」という。）１０において、データ入出力部１１は、上記の外部機器（図示せず：以下、この外部機器を「入力側外部機器」という。）から楽曲の音楽データ及び付加データを入力するときのインターフェースとしての機能を有しており、接続ポートの形態を有している。また、データ入出力部１１は、楽曲の音楽データ及び付加データを他の外部機器（図示せず：以下、この外部機器を「出力側外部機器」という。）に出力するときのインターフェースとしての機能も有している。データ入出力部１１と入力側及び出力側外部機器とは、例えばケーブル（図示せず）を介して接続される。
【００２４】
操作部１２は、図２に示すように電源ボタン１２ａ、メニューボタン１２ｂ、再生／一時停止ボタン１２ｃ、フォワードボタン１２ｄ、バックボタン１２ｅ、アップボタン１２ｆ及びダウンボタン１２ｇからなる操作ボタンと、タッチパネル１２ｈとにより構成されている。操作ボタン１２ａ〜１２ｇは、図２に示すように表示部１５が設けられた面において表示部１５以外の領域に設けられている。また、タッチパネル１２ｈは、表示部１５が設けられた面において表示部１５とほぼ同じ領域に設けられている。
【００２５】
操作部１２において、電源ボタン１２ａは、オーディオ装置１０の電源をオン／オフすることを指示するためのボタンである。メニューボタン１２ｂは、表示部１５の画面にメニュー画像を表示することを指示するためのボタンである。再生／一時停止ボタン１２ｃは、楽曲の再生及び一時停止を指示するためのボタンである。フォワードボタン１２ｄは再生中の楽曲を次の楽曲の先頭に進めることを指示するためのボタンであり、バックボタン１２ｅは再生中の楽曲を当該楽曲の先頭に戻すことを指示するためのボタンである。アップボタン１２ｆは再生中の楽曲の音量を上げることを指示するためのボタンであり、ダウンボタン１２ｇは再生中の楽曲の音量を下げることを指示するためのボタンである。タッチパネル１２ｈは、表示部１５の画面に表示されたメニュー画像中の選択項目を指示するためのものである。上述した指示を行うにあたり、各操作ボタン１２ａ〜１２ｇは、操作者（ユーザ）によって押されたときに所定の信号を出力する。また、タッチパネル１２ｈは、ユーザが指等で触れたときに接触位置に応じた信号を出力する。
【００２６】
データ記憶部１３は、例えばＨＤＤや半導体メモリからなり、図３（ａ）に示すように第１及び第２の記憶領域１３ａ、１３ｂを有している。第１の記憶領域１３ａは、オーディオ装置１０の固有の画像データを記憶する領域である。このオーディオ装置１０固有の画像データには、例えば風景、動植物、乗り物など、種々の画像の画像データがある。
【００２７】
一方、データ記憶部１３において、第２の記憶領域１３ｂは、データ入出力部１１を介して入力側外部機器（図示せず）から入力した楽曲の音楽データ及び付加データを記憶するための領域である。この第２の記憶領域１３ｂにおいては、図３（ｂ）に示すように、楽曲の音楽データと当該楽曲の付加データとが関連付けられて記憶されている。
【００２８】
音声出力部１４は、再生した楽曲の音声信号をヘッドホンや外部スピーカ（ともに図示せず）に出力するときのインターフェースとしての機能を有しており、ヘッドホンや外部スピーカーのケーブルが接続される接続ジャックの形態を有している。
【００２９】
表示部１５は、液晶表示（ＬＣＤ）パネルや有機ＥＬパネル等からなり、オーディオ装置１０に係る種々の情報を表示する。なお、前述したタッチパネル１２ｈは、表示部１５を構成するパネル上に設けられている。
【００３０】
制御部１６は、マイクロコンピュータ（マイコン）等により構成され、オーディオ装置１０において行う種々の動作に関する制御を行うためのものである。この制御部１６は、データ入出力部１１を介して入力側外部機器（図示せず）から楽曲の音楽データ及び付加データを入力したときに、当該付加データにアルバムのジャケット写真の画像データが含まれている場合には、楽曲の音楽データと当該楽曲の付加データ（音楽情報及び画像データ）とを関連付けてデータ記憶部１３の第２の記憶領域１３ｂに記憶させる。一方、当該付加データにアルバムのジャケット写真の画像データが含まれていない場合には、制御部１６は、データ記憶部１３の第１の記憶領域１３ａに記憶したオーディオ装置１０固有の画像データのうちいずれか１つを選択し、この固有の画像データと、楽曲の音楽データ及び付加データ（音楽情報）とを関連付けてデータ記憶部１３の第２の記憶領域１３ｂに記憶させる。
【００３１】
また、制御部１６は、操作部１２から信号を入力したときに、その信号に応じた指示内容の処理を行う。例えば、制御部１６は、メニューボタン１２ｂから信号を入力したときに、そのときのオーディオ装置１０の状況に応じた各種メニュー画像を生成し、表示部１５の画面に表示させる。また、制御部１６は、表示部１５の画面に再生モードを設定するためのメニュー画像を表示させている場合に、タッチパネル１２ｈから信号（この場合では、再生モードのいずれかを指定することを指示する旨の信号）を入力したときに、オーディオ装置１０を、指定された再生モードに設定する。更に、制御部１６は、操作部１２から楽曲の再生を行うことを指示する旨の信号を入力したときに、データ記憶部１３の第２の記憶領域１３ｂから当該楽曲の音楽データを読み出し、その音楽データに復号化処理及びＤ／Ａ変換処理等の処理を施して当該楽曲の音声信号を生成し、出力する。このようにして、制御部１６はデータ記憶部１３に記憶した楽曲の音楽データを再生する。なお、制御部１６から出力した楽曲の音声信号は、アンプ（図示せず）を介して音声出力部１４に供給される。
【００３２】
更に、制御部１６は、上述したように楽曲の音楽データを再生するときに、データ記憶部１３の第２の記憶領域１３ｂから当該楽曲の付加データを読み出し、その付加データに基づいた当該楽曲の曲名、アーティスト名、演奏時間、当該楽曲が収録されているアルバム名、及び、当該アルバムのジャケット写真の画像（あるいは、当該楽曲に関連付けられたオーディオ装置１０固有の画像）等の再生情報と、当該楽曲の再生時間とにより構成された当該楽曲の再生状況を示す画像（以下、この画像を「再生状況画像」という。）を生成する。また、制御部１６は、本発明に関連する処理として、データ記憶部１３の第２の記憶領域１３ｂから楽曲の付加データのうちアルバムのジャケット写真の画像データを全て読み出し、設定した再生モードに応じたジャケット写真の画像を並べた画像（以下、このアルバムのジャケット写真の画像を並べた画像を「壁紙画像」という。）を生成する。そして、制御部１６は、壁紙画像の上に再生状況画像を重ねて、表示部１５の画面に表示させる。
【００３３】
更にまた、制御部１６は、メモリ（図示せず）を含んでいて、そのメモリに楽曲の再生に関する情報を保持する。
【００３４】
以上の構成に係るオーディオ装置１０において、表示部１５は「表示手段」に、操作部１２は「操作手段」に、データ記憶部１３は「記憶手段」に、制御部１６は「制御手段」に、それぞれ対応している。
【００３５】
以下、本実施形態に係るオーディオ装置１０の制御部１６において行うデータ記憶部１３に記憶した楽曲の再生に係る種々の処理について、図４〜図８を参照しながら詳しく説明する。
【００３６】
電源ボタン１２ａが押されて、オーディオ装置１０がオンとなっているときに、ユーザがメニューボタン１２ｂを押すと、制御部１６は、メニューボタン１２ｂの信号に応じて再生モードを設定するための第１の再生モード設定用メニューの画像を生成し、表示部１５の画面に表示させる。
【００３７】
図４は、第１の再生モード設定用メニューの一例を示す図である。この図４に示すように、第１の再生モード設定用メニュー２１には、「ＡＬＬ  ＰＬＡＹ」２１ａ、「ＡＬＢＵＭ」２１ｂ、「ＡＲＴＩＳＴ」２１ｃ及び「ＲＥＴＵＲＮ」２１ｄという４つの項目が含まれている。この第１の再生モード設定メニュー２１において、「ＡＬＬ  ＰＬＡＹ」２１ａは、データ記憶部１３に記憶した全楽曲（の音楽データ）をデータ記憶部１３の記録順に再生する（全曲再生する）という再生モードに設定することを指示するための項目であり、「ＡＬＢＵＭ」２１ｂは、データ記憶部１３に記憶した楽曲のうちユーザが指定したアルバムに収録されている楽曲をデータ記憶部１３の記録順に再生するという再生モードに設定することを指示するための項目であり、「ＡＲＴＩＳＴ」２１ｃは、データ記憶部１３に記憶した楽曲のうちユーザが指定したアーティストの楽曲をデータ記憶部１３の記録順に再生するという再生モードに設定することを指示するための項目であり、「ＲＥＴＵＲＮ」２１ｄは、１つ前の状態に戻ることを指示するための項目である。
【００３８】
以下、データ記憶部１３に記憶した楽曲（全楽曲、あるいはそのうちの所定の楽曲）をデータ記憶部１３の記録順に再生するモードのことを、「通常再生モード」という。
【００３９】
次に、図４に示す第１の再生モード設定用メニュー２１において、ユーザが、タッチパネル１２ｈにより、例えば「ＡＬＬ  ＰＬＡＹ」２１ａを指定すると、制御部１６は、通常再生モード（全曲再生モード）に設定し、データ記憶部１３に記憶した全楽曲のうち１番目に記録した楽曲の音楽データを読み出して再生を開始する。
【００４０】
また、制御部１６は、再生する楽曲の付加データ及び再生時間に基づいて当該楽曲の再生状況画像を生成すると共に、データ記憶部１３からアルバムのジャケット写真の画像データを全て読み出し、各アルバムのジャケット写真の画像を規則的に並べた壁紙画像を生成する。そして、制御部１６は、壁紙画像の上に再生状況画像を重ねて、表示部１５の画面に表示させる。
【００４１】
図５は、通常再生モードが設定されているときに表示部１５の画面に表示される画像の一例を示す図である。
【００４２】
この図５に示すように、通常再生モードが設定されているときには、データ記憶部１３に記憶した各アルバムのジャケット写真の画像２２ａが規則的に並べられた構成（図５では、アルバムのジャケット写真の画像２２ａが横方向に一定の間隔で一列に並べられ、その列が縦方向に一定の間隔で複数並べられた構成）の壁紙画像２２の上に、再生中の楽曲の曲名、アーティスト名、演奏時間、再生時間、当該楽曲が収録されているアルバムの名称及びジャケット写真の画像２３ａにより構成された再生状況画像２３が重ねられた画像が、表示部１５の画面に表示される。
【００４３】
また、図４に示す第１の再生モード設定用メニュー２１において、ユーザが、タッチパネル１２ｈにより「ＡＬＢＵＭ」２１ｂ又は「ＡＲＴＩＳＴ」２１ｃを指定すると、制御部１６は、アルバムやアーティストを指定するためのサブメニューの画像（図示せず）を生成し、表示部１５の画面に表示させる。このサブメニューにおいてユーザがアルバム又はアーティストを指定すると、制御部１６は、通常再生モード（アルバム別再生モードま又はアーティスト別再生モード）に設定し、当該アルバムの楽曲又は当該アーティストの楽曲を再生すると共に、図５に示す壁紙画像２２の上に再生状況画像２３を重ねた画像を表示部１５の画面に表示させる。
【００４４】
次に、通常再生モードが設定されているときに、ユーザがメニューボタン１２ｂを押すと、制御部１６は、第２の再生モード設定用メニューの画像を生成し、表示部１５の画面に表示させる。
【００４５】
図６は、第２の再生モード設定用メニューの一例を示す図である。この図６に示すように、第２の再生モード設定用メニュー２４には、「ＳＨＵＦＦＬＥ」２４ａ、「ＲＥＰＥＡＴ」２４ｂ及び「ＲＥＴＵＲＮ」２４ｃという３つの項目が含まれている。
【００４６】
この第２の再生モード設定用メニュー２４において、「ＳＨＵＦＦＬＥ」２４ａは、第１の再生モード設定用メニュー２１の「ＡＬＬ  ＰＬＡＹ」２１ａ、「ＡＬＢＵＭ」２１ｂ及び「ＡＲＴＩＳＴ」２１ｃのいずれかが指定されたことにより再生対象となった全楽曲をランダムな順番で再生（シャッフル再生、あるいはランダム再生）するという再生モードに設定することを指示するための項目である。また、「ＲＥＰＥＡＴ」２４ｂは、再生中の楽曲を繰り返し再生（リピート再生）するという再生モードに設定することを指示するための項目であり、「ＲＥＴＵＲＮ」２４ｃは、１つ前の状態に戻ることを指示するための項目である。
【００４７】
例えば第１の再生モード設定用メニュー２１で「ＡＬＬ  ＰＬＡＹ」２１ａが指定された場合、図６に示す第２の再生モード設定用メニュー２４において、ユーザが、タッチパネル１２ｈにより、例えば「ＳＨＵＦＦＬＥ」２４ａを指定すると、制御部１６は、データ記憶部１３に記憶した全楽曲に対してシャッフル再生を開始する。すなわち、制御部１６は、全楽曲の中から再生する楽曲を、例えば乱数によって決定し、その楽曲の音楽データを読み出して再生する。なお、制御部１６は、その楽曲の再生が終了すると残りの楽曲から次に再生する楽曲を乱数によって決定し、全ての楽曲の再生が終了すると再生動作を終了する。
【００４８】
また、制御部１６は、再生する楽曲の付加データ及び再生時間に基づいて当該楽曲の再生状況画像を生成すると共に、データ記憶部１３からアルバムのジャケット写真の画像データを全て読み出し、各アルバムのジャケット写真の画像を不規則に並べた壁紙画像を生成する。そして、制御部１６は、壁紙画像の上に再生状況画像を重ねて、表示部１５の画面に表示させる。
【００４９】
図７は、シャッフル再生モードが設定されているときに表示部１５の画面に表示される画像の一例を示す図である。
【００５０】
この図７に示すように、シャッフル再生モードが設定されているときには、データ記憶部１３に記憶した各アルバムのジャケット写真の画像２５ａが不規則に並べられた構成（図７では、アルバムのジャケット写真がばらまかれたような構成）の壁紙画像２５の上に、再生中の楽曲が収録されているアルバムのジャケット写真の画像２６ａを含む当該楽曲の再生状況画像２６が重ねられた画像が、表示部１５の画面に表示される。
【００５１】
ところで、データ記憶部１３の第２の記憶領域１３ｂにおいて、楽曲の音楽データに関連付けられている画像データが、当該楽曲が収録されているアルバムのジャケット写真の画像ではなく、オーディオ装置１０固有の画像である場合には、図５に示す壁紙画像２２及び再生状況画像２３におけるアルバムのジャケット写真の画像２２ａ及び２３ａの位置、あるいは図７に示す壁紙画像２５及び再生状況画像２６におけるアルバムのジャケット写真の画像２５ａ及び２６ａの位置に、装置１０固有の画像が表示される。
【００５２】
なお、シャッフル再生モードに設定されているときに、ユーザがメニューボタン１２ｂを押すと、制御部１６は、第３の再生モード設定用メニューの画像を生成し、表示部１５の画面に表示させる。
【００５３】
図８は、第３の再生モード設定用メニューの一例を示す図である。この図８に示すように、第３の再生モード設定用メニュー２７には、「ＮＯＲＭＡＬ」２７ａ、「ＲＥＰＥＡＴ」２７ｂ及び「ＲＥＴＵＲＮ」２７ｃという３つの項目が含まれている。この第３の再生モード設定用メニュー２７において、「ＮＯＲＭＡＬ」２７ａは、通常再生モードに戻すことを指示するための項目である。また、「ＲＥＰＥＡＴ」２７ｂ及び「ＲＥＴＵＲＮ」２７ｃは、それぞれ第２の再生モード設定用メニュー２４における「ＲＥＰＥＡＴ」２４ｂ及び「ＲＥＴＵＲＮ」２４ｃと同じ項目である。
【００５４】
図６に示す第２の再生モード設定用メニュー２４（あるいは、図８に示す第３の再生モード設定用メニュー２７）において、ユーザが、タッチパネル１２ｈにより、「ＲＥＰＥＡＴ」２４ｂ（あるいは、「ＲＥＰＥＡＴ」２７ｂ）を指定すると、制御部１６は、再生中の楽曲を繰り返し再生（リピート再生）すると共に、例えば図９に示す画像を生成し、表示部１５の画面に表示させる。この図９に示すように、リピート再生モードが設定されているときには、楽曲の再生が繰り返し行われている印象を与える態様の再生状況画像２８が表示部１５の画面に表示される。
【００５５】
また、楽曲の再生中にユーザが電源ボタン１２ａを押すと、制御部１６は、楽曲の再生を終了すると共に、再生を終了したときの楽曲及びその再生時間と、そのときに設定されていた再生モードと、シャッフル再生に設定されていた場合には電源ボタン１２ａが押される前までに再生を終えた楽曲等の情報を楽曲の再生に関する情報としてメモリ（図示せず）に記憶し、オーディオ装置１０をオフにする。その後、ユーザが電源ボタン１２ａを押してオーディオ装置１０をオンにしたときには、制御部１６は、メモリ（図示せず）に記憶した楽曲に関する情報に基づき、オーディオ装置１０をオフしたときの再生状況の続きから楽曲の再生を開始する。
【００５６】
以上説明したように、本実施形態に係るオーディオ装置１０においては、シャッフル再生モードに設定されているときには、データ記憶部１３に記憶された各アルバムのジャケット写真の画像２５ａが不規則に並べられた壁紙画像２５が表示部１５の画面に表示される。このように、表示部１５の画面においてアルバムのジャケット写真の画像２５ａがばらまかれたように不規則に並べられていることにより、楽曲が不規則に再生されている印象を与えるので、ユーザは、表示部１５の表示画面を見たときに、現在設定されている再生モードがシャッフル再生であるか否かを容易に判別することができる。
【００５７】
また、本実施形態に係るオーディオ装置１０においては、通常再生モードに設定されているときには、各アルバムのジャケット写真の画像２２ａが規則的に並べられた壁紙画像２２が表示部１５の画面に表示されていて、楽曲が規則的に再生されている印象を与える。このように、シャッフル再生モードが設定されているときの壁紙画像２５の内容と、通常再生モードが設定されているときの壁紙画像２２の内容との差異が明確になっているので、ユーザは、シャッフル再生に設定されている場合の壁紙画像２５を見たときに、現在設定されている再生モードがシャッフル再生であることを一目で判別することができる。
【００５８】
なお、第１の実施形態においては、シャッフル再生モードに設定される度に、各アルバムのジャケット写真の画像２５ａを不規則に並べ、そのような壁紙画像２５を表示部１５の画面に表示しているが、これに限定されないことはもちろんである。例えば、シャッフル再生モードに設定されたときだけでなく、シャッフル再生モードに設定されている場合に次に再生する楽曲を決定する度にも、各アルバムのジャケット写真の画像を不規則に並べ、そのような壁紙画像を表示部１５の画面に表示するようにしてもよい。
【００５９】
また、第１の実施形態においては、シャッフル再生モードに設定されているときには、壁紙画像２５に対して各アルバムのジャケット写真の画像２５ａは静止しているが、これに限定されないことはもちろんである。例えば、壁紙画像２５に対して各アルバムのジャケット写真の画像２５ａが不規則に動いていてもよい。また、アルバムのジャケット写真の画像２５ａのうち、再生を終えた直後の楽曲が収録されているアルバムのジャケット写真の画像２５ａが、再生状況画像２６の左側近傍に配置され、次に再生される楽曲が収録されているアルバムのジャケット写真の画像２５ａが、再生状況画像２６の右側近傍に配置されるように、当該画像２５ａが動いていてもよい。
【００６０】
更に、第１の実施形態においては、楽曲の音楽データとアルバムのジャケット写真の画像データ（あるいは、オーディオ装置１０固有の画像データ）とを関連付けてデータ記憶部１３の第２の記憶領域１３ｂに記憶する場合について説明しているが、楽曲の音楽データとアルバムのジャケット写真の画像データ（あるいは、オーディオ装置１０固有の画像データ）とを関連付けずにデータ記憶部１３に記憶するようにしてもよい。この場合でも、通常再生モードやシャッフル再生モードに設定されたときに、データ記憶部１３から、例えば装置１０固有の画像データを読み出して、当該画像を並べた壁紙画像を生成すればよい。これにより、アルバムのジャケット写真の画像を含まない楽曲のデータ（音楽データ及び付加データ）のみをデータ記憶部１３に記憶する場合において、楽曲の音楽データとオーディオ装置１０固有の画像データとを関連付けることに係る処理をしなくても、図５に示す壁紙画像２２や図７に示す壁紙画像２５を表示部１５の画面に表示させることができる。
【００６１】
更にまた、第１の実施形態においては、アルバムのジャケット写真の画像データ（あるいは、オーディオ装置１０固有の画像データ）をデータ記憶部１３に記憶しておき、通常再生モードやシャッフル再生モードに設定されたときにデータ記憶部１３から画像データを読み出して、当該画像データを基に画像を生成し、そして当該画像を並べることにより壁紙画像を生成しているが、壁紙画像データ（画像が規則的に並べられた壁紙画像のデータ及び画像が不規則に並べられた壁紙画像のデータ）をデータ記憶部１３に記憶しておき、通常再生モードやシャッフル再生モードに設定されたときにデータ記憶部１３から壁紙画像データを読み出して、当該壁紙画像データを基に壁紙画像を生成するようにしてもよい。これにより、比較的少ない処理数で、表示部１５の画面に壁紙画像を表示させることができる。
【００６２】
（第２の実施形態）
図１０は本発明の第２の実施形態に係る携帯型オーディオ装置（オーディオ装置）の構成を示すブロック図であり、図１１はその携帯型オーディオ装置の外観の一例を示す図である。
【００６３】
本実施形態に係るオーディオ装置は、基本的に第１の実施形態に係るオーディオ装置と同じ構成及び機能を有するものであるが、第１の実施形態に係るそれと異なる点は、壁紙画像に含まれるアルバムのジャケット写真の画像を指定する機能と、壁紙画像をスクロールさせる機能と、壁紙画像の縮尺を変化させる機能とが付加されていることにある。このため、本実施形態に係るオーディオ装置において、第１の実施形態に係るオーディオ装置と同じものには同じ符号を付して、その説明を省略する。
【００６４】
本実施形態に係る携帯型オーディオ装置（以下、単に「オーディオ装置」という。）４０は、図１０に示すようにデータ入出力部１１、操作部４２、データ記憶部１３、音声出力部１４、表示部１５及び制御部４６を備えている。
【００６５】
操作部４２は、図１１に示すように電源ボタン４２ａ、メニューボタン４２ｂ、再生／一時停止ボタン４２ｃ、フォワードボタン４２ｄ、バックボタン４２ｅ、アップボタン４２ｆ及びダウンボタン４２ｇからなる操作ボタンと、タッチパネル４２ｈとにより構成されている。
【００６６】
各操作ボタン４２ａ〜４２ｇ及びタッチパネル４２ｈは、第１の実施形態の操作ボタン１２ａ〜１２ｇ及びタッチパネル１２ｈと基本的に同じ機能を有している。但し、フォワードボタン４２ｄ、バックボタン４２ｅ、アップボタン４２ｆ及びダウンボタン４２ｇは、後述するように壁紙画像をスクロールさせるモードのときは、それぞれ壁紙画像を右方向、左方向、上方向及び下方向にスクロールさせることを指示するためのボタンとしての機能を有する。さらに、アップボタン４２ｆ及びダウンボタン４２ｇは、後述するように壁紙画像の縮尺を変化させるモードのときには、それぞれ壁紙画像の縮尺を大きくすることを指示するためのボタン、及び、壁紙画像の縮尺を小さくすることを指示するためのボタンとしての機能を有する。また、タッチパネル４２ｈは、壁紙画像中のアルバムのジャケット写真の画像を指定するためのものとしての機能を有する。
【００６７】
制御部４６も、データ記憶部１３に記憶した楽曲の再生に係る処理について、第１の実施形態の制御部１６と基本的に同じ処理を行う。それに加えて、制御部４６は、壁紙画像に含まれるアルバムのジャケット写真の画像を指定することに係る処理、壁紙画像をスクロールさせることに係る処理、及び、壁紙画像の縮尺を変化させることに係る処理も行う。
【００６８】
以上の構成に係るオーディオ装置４０において、表示部１５は「表示手段」に、操作部４２は「操作手段」に、データ記憶部１３は「記憶手段」に、制御部４６は「制御手段」に、それぞれ対応している。
【００６９】
以下、本実施形態に係るオーディオ装置４０の制御部４６において行う壁紙画像に関する処理について、図１２〜図１５を参照しながら詳しく説明する。
【００７０】
まず、壁紙画像に含まれるアルバムのジャケット写真の画像を指定することに係る処理について説明する。
【００７１】
オーディオ装置４０がシャッフル再生モードに設定されているとき、制御部４６は、例えば図１２に示すように、データ記憶部１３に記憶した各アルバムのジャケット写真の画像５１ａが不規則に並べられた構成の壁紙画像５１の上に、再生中の楽曲の再生状況画像５２を重ねた画像を、表示部１５の画面に表示させる。
【００７２】
この図１２に示す画像を表示部１５の画面に表示させているときに、ユーザが、タッチパネル４２ｈにより、壁紙画像５１中のアルバムのジャケット写真の画像５１ａのいずれかを指定すると、制御部４６は、ユーザにより指定されたアルバムに対して再生モードを設定するための第４の再生モード設定用メニューの画像を生成し、表示部１５の画面に表示させる。
【００７３】
図１３は、第４の再生モード設定用メニューの一例を示す図である。この図１３に示すように、第４の再生モード設定用メニュー５３には、「ＮＯＲＭＡＬ」５３ａ、「ＳＨＵＦＦＬＥ」５３ｂ及び「ＲＥＴＵＲＮ」５３ｃという３つの項目が含まれている。この第４の再生モード設定用メニュー５３において、「ＮＯＲＭＡＬ」５３ａは、通常再生することを指示するための項目であり、「ＳＨＵＦＦＬＥ」５３ｂは、シャッフル再生することを指示するための項目である。また、「ＲＥＴＵＲＮ」５３ｃは、１つ前の状態に戻すことを指示するための項目である。
【００７４】
図１３に示す第４の再生モード設定用メニュー５３において、ユーザが、タッチパネル４２ｈにより「ＮＯＲＭＡＬ」５３ａを指定すると、制御部４６は、ユーザにより指定されたアルバムに収録されている楽曲をデータ記憶部１３の記録順に再生する（通常再生する）。また、ユーザが、タッチパネル４２ｈにより「ＳＨＵＦＦＬＥ」５３ｂを指定すると、制御部４６は、ユーザにより指定されたアルバムに収録されている楽曲を再生対象としてシャッフル再生する。
【００７５】
次に、壁紙画像をスクロールさせることに係る処理、及び、壁紙画像の縮尺を変化させることに係る処理について説明する。
【００７６】
オーディオ装置４０がシャッフル再生モードに設定されているときに、ユーザがメニューボタン４２ｂを１回押すと、制御部４６は、図８に示した第３の再生モード設定用メニューと同じ選択項目を有する第５の再生モード設定用メニューの画像（図示せず）を生成し、表示部１５の画面に表示させる。
【００７７】
さらに、ユーザがメニューボタン４２ｂを１回押すと（すなわち、ユーザがメニューボタン４２ｂを２回押すと）、制御部４６は、表示部１５の画面に表示される壁紙画像の表示領域を変更するための表示領域変更用メニューの画像を生成し、表示部１５の画面に表示させる。
【００７８】
図１４は、壁紙画像の表示領域変更用メニューの一例を示す図である。この図１４に示すように、表示領域変更用メニュー５４には、「ＳＣＡＬＥ」５４ａ、「ＳＣＲＯＬＬ」５４ｂ及び「ＲＥＴＵＲＮ」５４ｃという３つの項目が含まれている。この表示領域変更用メニュー５３において、「ＳＣＡＬＥ」５４ａは、壁紙画像の縮尺を変更させることを指示するための項目であり、「ＳＣＲＯＬＬ」５４ｂは、壁紙画像の表示領域をスクロールさせることを指示するための項目である。
【００７９】
図１４に示す表示領域変更用メニューにおいて、ユーザが、タッチパネル４２ｈにより、例えば「ＳＣＡＬＥ」５４ａを指定すると、制御部４６は、オーディオ装置４０を、壁紙画像の縮尺を変更させるモードに設定する。
【００８０】
さらに、ユーザが、アップボタン４２ｆ及びダウンボタン４２ｇのうち、例えばアップボタン４２ｆを押すと、制御部４６は、当該ボタン４２ｆが押された時間に応じて表示部１５の画面に表示される壁紙画像（例えば、図１２に示す壁紙画像５１）の縮尺を大きくする。すなわち、制御部４６は、図１５に示すように、壁紙画像５５中の各アルバムのジャケット写真の画像５５ａを小さくして、表示部１５の画面に表示される壁紙画像５５の表示領域を実質的に広くする。これにより、アップボタン４２ｆが押される前には表示部１５の画面の外側に配置されていて見えなかったアルバムのジャケット写真の画像が、表示部１５の画面の内側に配置されて、見えるようになる。なお、ユーザが、ダウンボタン４２ｇを押したときには、制御部４６は、当該ボタン４２ｇが押された時間に応じて表示部１５の画面に表示される壁紙画像の縮尺を小さくする。
【００８１】
また、図１４に示す表示領域変更用メニューにおいて、ユーザがタッチパネル４２ｈにより「ＳＣＲＯＬＬ」５４ｂを指定すると、制御部４６は、オーディオ装置４０を、壁紙画像をスクロールさせるモードに設定する。
【００８２】
さらに、ユーザが、フォワードボタン４２ｄ、バックボタン４２ｅ、アップボタン４２ｆ及びダウンボタン４２ｇのうち、例えばフォワードボタン４２ｄを押すと、制御部４６は、当該ボタン４２ｄが押された時間に応じて表示部１５の画面に対して壁紙画像を右方向にずらす。これにより、フォワードボタン４２ｄが押される前には表示部１５の画面の左外側に配置されていて見えなかったアルバムのジャケット写真の画像が、表示部１５の画面の左内側に移動して、見えるようになる。一方、当該ボタン４２ｄが押される前には表示部１５の画面の右内側に配置されていたアルバムのジャケット写真の画像は、表示部１５の画面の右外側に移動して、見えなくなる。なお、ユーザが、バックボタン４２ｅ、アップボタン４２ｆ又はダウンボタン４２ｇを押したときには、制御部４６は、当該ボタンが押された時間に応じて表示部１５の画面に対して壁紙画像を左方向、上方向又は下方向にずらす。
【００８３】
以上説明したように、本実施形態に係るオーディオ装置４０においては、シャッフル再生モードに設定されているときに、壁紙画像５１中のアルバムのジャケット写真の画像５１ａがタッチパネル４２ｈで指定されると、指定されたアルバムに収録されている楽曲を再生する。
【００８４】
本実施形態に係るオーディオ装置４０において、通常再生モードに設定されたときには、データ記憶部１３に記憶した順にアルバムのジャケット写真の画像を規則的に並べ、それを壁紙画像として表示部１５の画面に表示する。言い換えると、通常再生モードに設定されたときには、壁紙画像の内容は、データ記憶部１３において画像データが追加又は削除されたりしないと、毎回同じとなる。
【００８５】
一方、シャッフル再生モードに設定されたときには、データ記憶部１３に記憶した順番に関係なく、アルバムのジャケット写真の画像５１ａを不規則に並べ、それを壁紙画像５１として表示部１５の画面に表示する。言い換えると、壁紙画像５１の内容は、再生モードをシャッフル再生に設定される度に変化する。このため、シャッフル再生モードに設定されたときは、通常再生モードに設定されたときと比べて、ユーザが、自分のお気に入りの楽曲が収録されているアルバムを表示部１５の表示画面上で見つける可能性が高くなる。
【００８６】
本実施形態に係るオーディオ装置４０においては、前述したようにタッチパネル４２ｈにより壁紙画像５１中のアルバムのジャケット写真の画像５１ａを指定可能であり、アルバムのジャケット写真の画像５１ａが指定されると当該アルバムに収録されている楽曲を再生するので、表示部１５の表示画面上でデータ記憶部１３に記憶されている楽曲を検索することが可能となっている。このため、オーディオ装置としての利便性が向上する。
【００８７】
また、本実施形態に係るオーディオ装置４０においては、シャッフル再生モードに設定されているときに、操作部４２を操作すると、表示部１５の画面に表示される壁紙画像の縮尺が変化したり、壁紙画像がスクロールしたりする。これらにより、表示部１５の表示画面上でデータ記憶部１３に記憶されている楽曲を検索することが容易となるので、オーディオ装置としての利便性がより向上する。
【００８８】
なお、第２の実施形態においても、第１の実施形態と同様に、シャッフル再生モードに設定される度だけでなく、シャッフル再生モードに設定されている場合において次に再生する楽曲を決定する度にも、各アルバムのジャケット写真の画像を不規則に並べ、そのような壁紙画像を表示部１５の画面に表示するようにしてもよい。これにより、ユーザが、自分のお気に入りの楽曲が収録されているアルバムを表示部１５の表示画面上で見つける可能性がより高くなる。
【００８９】
また、第２の実施形態においては、縮尺を変更した壁紙画像に対してスクロールさせるようにしてもよい。
【００９０】
上述した第１及び第２の実施形態においては、本発明を携帯型オーディオ装置に適用した場合について説明したが、本発明の適用範囲は携帯型オーディオ装置に限定されないことはもちろんである。例えば、本発明を、インターネットの楽曲提供サーバ等から取り込んだ楽曲の音楽データを記憶・再生可能な通常のオーディオ装置やパーソナルコンピュータ等にも適用することができる。
【図面の簡単な説明】
【００９１】
【図１】本発明の第１の実施形態に係る携帯型オーディオ装置（オーディオ装置）の構成を示すブロック図である。
【図２】第１の実施形態に係る携帯型オーディオ装置の外観の一例を示す図である。
【図３】図３（ａ）はデータ記憶部の構成を示す図であり、図３（ｂ）はデータ記憶部の第２の記憶領域に記憶された楽曲のデータ構成を示す図である。
【図４】第１の再生モード設定用メニュー画像の一例を示す図である。
【図５】通常再生モードに設定されているときに表示部の画面に表示される画像の一例を示す図である。
【図６】第２の再生モード設定用メニュー画像の一例を示す図である。
【図７】シャッフル再生モードに設定されているときに表示部の画面に表示される画像の一例（その１）を示す図である。
【図８】第３の再生モード設定用メニュー画像の一例を示す図である。
【図９】リピート再生モードが設定されているときに表示部の画面に表示される画像の一例を示す図である。
【図１０】本発明の第２の実施形態に係る携帯型オーディオ装置（オーディオ装置）の構成を示すブロック図である。
【図１１】第２の実施形態に係る携帯型オーディオ装置の外観の一例を示す図である。
【図１２】第２の実施形態におけるシャッフル再生モードに設定されているときに表示部の画面に表示される画像の一例（その２）を示す図である。
【図１３】第４の再生モード設定用メニュー画像の一例を示す図である。
【図１４】壁紙画像の表示領域変更用メニュー画像の一例を示す図である。
【図１５】シャッフル再生モードに設定されているときに表示部の画面に表示される画像の一例（その３）を示す図である。
【符号の説明】
【００９２】
１０、４０…携帯型オーディオ装置（オーディオ装置）、
１１…データ入出力部、
１２、４２…操作部（操作手段）、
１２ｄ、４２ｄ…フォワードボタン、
１２ｅ、４２ｅ…バックボタン、
１２ｆ、４２ｆ…アップボタン、
１２ｇ、４２ｇ…ダウンボタン、
１２ｈ、４２ｈ…タッチパネル、
１３…データ記憶部（記憶手段）、
１３ａ…第１の記憶領域、
１３ｂ…第２の記憶領域、
１４…音声出力部、
１５…表示部（表示手段）、
１６、４６…制御部（制御手段）、
２２、２５…壁紙画像、
２２ａ、２３ａ、２５ａ、２６ａ、５１ａ、５２ａ、５５ａ、５６ａ…アルバムのジャケット写真の画像、
２３、２６、２８、５２、５６…再生状況画像。
【図１】
0005220470.tif 000002
【図２】
0005220470.tif 000003
【図３】
0005220470.tif 000004
【図４】
0005220470.tif 000005
【図５】
0005220470.tif 000006
【図６】
0005220470.tif 000007
【図７】
0005220470.tif 000008
【図８】
0005220470.tif 000009
【図９】
0005220470.tif 000010
【図１０】
0005220470.tif 000011
【図１１】
0005220470.tif 000012
【図１２】
0005220470.tif 000013
【図１３】
0005220470.tif 000014
【図１４】
0005220470.tif 000015
【図１５】
0005220470.tif 000016